(57)【要約】【課題】  立毛穀稈を刈取りする刈刃装置を、単独で上下回動自在に設ける構成にしようとするものである。【解決手段】  穀稈を刈取り移送する刈取機３の前部には、この刈取機３を支持する刈取前ギャーケース１１と、穀稈を刈取る刈刃装置６等を設け、この刈刃装置６は、刈取前ギャーケース１１へ内装した伝動軸１１ｂを回動中心として、上下回動自在に設けた構成である。刈取前ギャーケース１１の左右両側には、刈刃駆動ケース１２を設けて、前側へ設けた刈取フレーム１３で刈刃装置６を上下回動自在に支持させる。又、刈取前ギャーケース１１には、引起装置５、分草体４ａ等を支持する引起伝動ケース１４、分草フレーム４ｂ等を装着して設けると共に、刈刃装置６を上下回動させる回動モータ１５等を設けた構成である。【選択図】  図１。
2005218364.tif 000002
【特許請求の範囲】
【請求項１】
走行車台２前方部に立毛穀稈を刈取り移送する刈取機３の前部には、該刈取機３を支持する伝動機構１１ａを内装した刈取前ギャーケース１１と、立毛穀稈を刈取る刈刃装置６等とを設けたコンバインにおいて、前記刈刃装置６は刈取前ギャーケース１１の伝動機構１１ａの伝動軸１１ｂを回動中心として、上下回動自在に設けたことを特徴とするコンバインの刈取装置。
【請求項２】
前記刈取前ギャーケース１１の左右両端部には、刈刃駆動ケース１２を設けると共に、各刈刃駆動ケース１２の前側には、刈取フレーム１３を設けて一体で上下回動自在に設けたことを特徴とする請求項１に記載のコンバインの刈取装置。
【請求項３】
前記左右両側の刈刃駆動ケース１２の内側で、刈取前ギャーケース１１の上側部には、穀稈を引起する複数の引起装置５を回転駆動する引起伝動軸１４ａを内装した複数の引起伝動ケース１４を設けたことを特徴とする請求項１、又は請求項２に記載のコンバインの刈取装置。
【請求項４】
前記左右両側の刈刃駆動ケース１２の内側で、刈取前ギャーケース１１の前側部には、立毛穀稈を分離する先端部へ分草体４ａを装着した複数の分草フレーム４ｂを設けたことを特徴とする請求項１、又は請求項２、又は請求項３に記載のコンバインの刈取装置。
【請求項５】
前記刈取前ギャーケース１１の一方側の後側には、刈刃装置６を上下回動する回動モータ１５を設けたことを特徴とする請求項１、又は請求項２、又は請求項３、又は請求項４に記載のコンバインの刈取装置。
【発明の詳細な説明】
【技術分野】
【０００１】
穀稈を刈取り移送する刈取機の前部には、この刈取機を支持する刈取前ギャーケースを設け、この刈取前ギャーケースの前側に設けた刈刃装置は、刈取前ギャーケースへ内装した伝動軸を回動中心として、上下回動自在に設けた技術であり、コンバインの刈取装置として利用できる。
【背景技術】
【０００２】
立毛穀稈を刈取り移送する刈取装置は、特開２００２−２６２６３１号公報で示す如く穀稈を刈取り作業のときには、走行車体に対して、刈取フレームを、上下昇降自在に設けた、この刈取フレームを下降操作すると、この操作に連動して、刈取装置の刈刃は、前方向きに回動され、刈取り可能状態に操作され、この刈取装置の刈刃の固定刈刃と、摺動刈刃とにより、穀稈は刈取りされる。この刈取り穀稈は、後方上部へ移送される。
【０００３】
又、前記刈取装置の刈刃部へ藁屑、及び土等が堆積すると、切味が低下することにより、除去して清掃するが、このときには、刈刃フレームを上昇操作すると、この操作に連動して、刈取装置の刈刃は、下方向きに回動される。この下方向きに回動された刈刃の固定刈刃と、摺動刈刃とに堆積した藁屑、及び土等へ下方へ掻き取りして除去する。除去が終了すると、元の状態へ回動操作する。
【特許文献１】特開２００２−２６２６３１号公報
【発明の開示】
【発明が解決しようとする課題】
【０００４】
刈取装置を設けた刈取フレームを、走行車体に対して、上下回動自在に設けた、この刈取フレームの上昇操作により、刈取装置の刈刃は下方向きに回動されるが、刈刃自体が単独で回動制御されないことにより、藁屑等の除去が困難になることが発生したり、又、刈刃自体の回動機構が複雑であり、高コストであったが、この発明により、これらの問題点を解決しようとするものである。
【課題を解決するための手段】
【０００５】
このために、この発明は、請求項１に記載の発明においては、走行車台２前方部に立毛穀稈を刈取り移送する刈取機３の前部には、該刈取機３を支持する伝動機構１１ａを内装した刈取前ギャーケース１１と、立毛穀稈を刈取る刈刃装置６等とを設けたコンバインにおいて、前記刈刃装置６は刈取前ギャーケース１１の伝動機構１１ａの伝動軸１１ｂを回動中心として、上下回動自在に設けたことを特徴とするコンバインの刈取装置としたものである。
【０００６】
立毛穀稈を刈取り移送する刈取機３で、穀稈を刈取り作業のときには、走行車台２の前方部に設けた、この刈取機３を支持する支持杆を昇降操作して、刈取機３を所定位置へ回動操作し、又、支持杆の下端に伝動機構１１ａを内装した刈取前ギャーケース１１の前部に設けた刈刃装置６は、刈取前ギャーケース１１の伝動機構１１ａの伝動軸１１ｂを回動中心として、上下回動自在に設け、上下回動自在なこの刈刃装置６を所定位置へ上下回動操作して、この刈刃装置６で穀稈は刈取りされ、この刈取り穀稈は、後方上部へこの刈取機３で移送される。
【０００７】
請求項２に記載の発明においては、前記刈取前ギャーケース１１の左右両端部には、刈刃駆動ケース１２を設けると共に、各刈刃駆動ケース１２の前側には、刈取フレーム１３を設けて一体で上下回動自在に設けたことを特徴とする請求項１に記載のコンバインの刈取装置としたものである。
【０００８】
穀稈を刈取り移送する前記刈取機３を支持する刈取前ギャーケース１１の左右両端部には、刈刃駆動ケース１２を設けると共に、この刈刃駆動ケース１２の前側には、刈取フレーム１３を設け、刈刃装置６を支持し、これら刈刃駆動ケース１２と、刈取フレーム１３とは、一体に形成して上下回動自在に設けて、刈刃装置６で刈取りする穀稈の刈取高さが変更できる。
【０００９】
請求項３に記載の発明においては、前記左右両側の刈刃駆動ケース１２の内側で、刈取前ギャーケース１１の上側部には、穀稈を引起する複数の引起装置５を回転駆動する引起伝動軸１４ａを内装した複数の引起伝動ケース１４を設けたことを特徴とする請求項１、又は請求項２に記載のコンバインの刈取装置としたものである。
【００１０】
穀稈を刈取り移送する前記刈取機３を支持する刈取前ギャーケース１１の左右両端部には、刈刃駆動ケース１２を設け、この各刈刃駆動ケース１２の内側で、刈取前ギャーケース１１の上側部には、刈取りする穀稈を引起しする複数の引起装置５を回転駆動する引起伝動軸１４ａを内装した複数の引起伝動ケース１４を設け、この各引起伝動ケース１４の引起伝動軸１４ａで、各引起装置５を支持すると共に、回転駆動させて、この各引起装置５で穀稈を引起して、刈刃装置６で穀稈を刈取りする。
【００１１】
請求項４に記載の発明においては、前記左右両側の刈刃駆動ケース１２の内側で、刈取前ギャーケース１１の前側部には、立毛穀稈を分離する先端部へ分草体４ａを装着した複数の分草フレーム４ｂを設けたことを特徴とする請求項１、又は請求項２、又は請求項３に記載のコンバインの刈取装置としたものである。
【００１２】
穀稈を刈取り移送する前記刈取機３を支持する刈取前ギャーケース１１の左右両端部には、刈刃駆動ケース１２を設け、この各刈刃駆動ケース１２の内側で、刈取前ギャーケース１１の前側部には、刈取りする穀稈を分離する先端部に分草体４ａを装着した複数の分草フレーム４ｂを設け、この各分草体４ａで穀稈を分離し、各引起装置５で穀稈を引起して、刈刃装置６で穀稈を刈取りする。
【００１３】
請求項５に記載の発明においては、前記刈取前ギャーケース１１の一方側の後側には、刈刃装置６を上下回動する回動モータ１５を設けたことを特徴とする請求項１、又は請求項２、又は請求項３、又は請求項４に記載のコンバインの刈取装置としたものである。
【００１４】
穀稈を刈取り移送する前記刈取機３を支持する刈取前ギャーケース１１の一方側の後側には、刈刃装置６を上下回動する回動モータ１５を設け、この回動モータ１５を始動操作して、刈刃装置６を所定位置へ昇降させて、穀稈を所定高さ位置で刈取りする。
【発明の効果】
【００１５】
請求項１に記載の発明においては、穀稈を刈取り移送する刈取機３の前部には、この刈取機３を支持する伝動機構１１ａを内装した刈取前ギャーケース１１と、立毛穀稈を刈取る刈刃装置６等とを設け、この刈刃装置６は刈取前ギャーケース１１の伝動機構１１ａの伝動軸１１ｂを回動中心として、上下回動自在に設けたことにより、刈刃装置６を単独で上下回動させることができることにより、刈取り高さの変更が容易である。又、単独で上下回動することにより、藁屑、及び土等を除去する清掃が容易である。
【００１６】
請求項２に記載の発明においては、前記刈取前ギャーケース１１の左右両端部には、刈刃駆動ケース１２と、この刈刃駆動ケース１２の前側へ刈取フレーム１３を設けて、一体に上下回動させて、刈刃装置６を上下回動させることにより、簡単な構成でこの刈取装置６を上下回動させることができる。
【００１７】
請求項３に記載の発明においては、前記左右両側の刈刃駆動ケース１２の内側で、刈取前ギャーケース１１の上側部へ引起装置５を回転駆動する引起伝動軸１４ａを内装した引起伝動ケース１４を設けたことにより、強度のある刈取前ギャーケース１１で、各引起伝動ケース１４が支持されることにより、強度向上を図ることができる。
【００１８】
請求項４に記載の発明においては、前記左右両側の刈刃駆動ケース１２の内側で、刈取前ギャーケース１１の前側部へ分草体４ａを支持する分草フレーム４ｂを設けたことにより、強度のある刈取前ギャーケース１１で、各分草フレーム４ｂが支持されることにより、強度向上を図ることができる。
【００１９】
請求項５に記載の発明においては、前記刈取前ギャーケース１１の一方側の後側には、刈刃装置６を上下回動させる回動モータ１５を設けたことにより、強度のある刈取前ギャーケース１１で回動モータ１５が支持されることにより、強度向上を図ることができる。又、この回動モータの作動操作により、刈刃装置６が単独で上下回動することにより、操作が簡単である。更に、刈取り高さの設定が容易にできる。
【発明を実施するための最良の形態】
【００２０】
以下、本発明の一実施例を図面に基づいて説明する。
【００２１】
コンバイン１の走行車台２の前方部には、立毛穀稈を刈取り移送する刈取機３を設け、この刈取機３は前部より、順次穀稈を分離するナローガイド３ａ、及び各分草体４ａと、分離した穀稈を引起す各引起装置５と、引起された穀稈を掻込み移送する掻込装置７ａと、掻込み中の穀稈を刈取る刈刃装置６等を設けると共に、この刈取機３を支持する支持杆１０ａと、この支持杆１０ａの下端部には、刈取前ギャーケース１１を設け、この刈取前ギヤーケース１１へ内装した伝動機構１１ａの伝動軸１１ｂを回動中心として、刈刃装置６を上下回動自在に設けた構成である。これら刈刃装置６、刈取前ギャーケース１１、この刈取ギヤーケース１１の左右両端部へ設けた刈刃駆動ケース１２、及びこの刈刃駆動ケース１２の前側へ設けた刈取フレーム１３、分草体４ａを先端部に設けた分草フレーム４ｂ等を主に図示して説明する。
【００２２】
前記コンバイン１の走行車台２の下側には、図５で示す如く土壌面を走行する左右一対の走行クローラ１６ａを張設した走行装置１６を配設し、走行車台２の上側には、脱穀機１７を載置した構成である。走行車台２の前側の刈取機３で立毛穀稈を刈取りし、この刈取り穀稈は、この刈取機３で後方上部へ移送され、脱穀機１７のフィードチェン１８ａと、挾持杆１８ｂとで引継ぎされて、挾持移送されながら脱穀される。脱穀済で選別済み穀粒は、脱穀機１７の右横側に配設した穀粒貯留タンク１９内へ一時貯留される。
【００２３】
前記走行車台２の前方部には、図５で示す如く前端位置から立毛穀稈を分離するナローガイド３ａ、及び各分草フレーム４ｂの先端へ固着した各分草体４ａと、立毛穀稈を引起す引起ケース５ａ内には、所定間隔で引起ラグ５ｃを装着した引起チェン５ｂを張設した各引起装置５と、引起された穀稈を掻込みする穀稈掻込移送装置７の各掻込装置７ａと、掻込された穀稈を刈取る上下回動自在な刈刃装置６と、刈取りされた穀稈を挾持移送して、脱穀機１７のフィードチェン１８ａと、挾持杆１８ｂとへ受渡しする穀稈掻込移送装置７の根元・穂先移送装置８ａ，８ｂ等からなる刈取機３を設けている。該刈取機３は、油圧駆動による伸縮シリンダ９により、土壌面に対して、昇降自在に移動する構成である。
【００２４】
前記刈取機３を支持する前方下部から後方上部へ傾斜する伝動機構１０ｄを内装した支持杆１０ａの上端部には、左右方向に伝動機構１０ｅを内装した支持パイプ杆１０ｂを設け、この支持パイプ杆１０ｂを走行車台２の上側面に設けた支持装置１０ｃで回転自在に支持させて、伸縮シリンダ９の作動により、刈取機３は、支持パイプ杆１０ｂを回動中心として、上下に回動する構成である。
【００２５】
前記刈取機３の穀稈掻込装置７によって形成される穀稈移送経路中には、刈取られて移送される穀稈に接触作用することにより、脱穀機１７へ穀稈の供給の有無を検出する穀稈センサ３ｂを設けた構成である。
【００２６】
前記刈取機３の前部には、この刈取機３を支持する支持杆１０ａの下端部で、左右方向に図１、及び図２で示す如く伝動機構１１ａを内装した刈取前ギャーケース１１を装置して設け、この伝動機構１１ａには、左右方向に伝動軸１１ｂを軸支して設けた構成である。この伝動軸１１ｂを回動中心として、穀稈を刈取る左右方向へ摺動移動する切刃６ａと、固定刃６ｂとよりなる刈刃装置６を上下回動自在に設けた構成である。
【００２７】
穀稈を刈取り移送する前記刈取機３の前部には、この刈取機３を支持する伝動機構１１ａを内装した刈取前ギャーケース１１と、立毛穀稈を刈取る刈刃装置６等とを設け、この刈刃装置６は刈取前ギャーケース１１の伝動機構１１ａの伝動軸１０ｂを回動中心として、上下回動自在に設けたことにより、刈刃装置６を単独で上下回動できることにより、刈取高さの変更が容易である。又、単独でこの刈刃装置６が上下回動することにより、この刈刃装置６へ堆積する藁屑、及び土等を除去する清掃が容易である。
【００２８】
前記刈取前ギャーケース１１の左右両部には、図１、及び図２、又は図３、及び図４で示す如く右側には、伝動機構１２ａを内装した刈取駆動ケース１２を回動自在に軸支して設けると共に、左側には、左支持メタル１２ｃ、又は伝動機構１２ａを内装した刈取駆動ケース１２を回動自在に軸支して設けた構成である。これら左支持メタル１２ｃ、及び刈取駆動ケース１２の前側には、又はこれら各刈取駆動ケース１２の前側には、前方へ突出させた刈取フレーム１３を設け、この各刈取フレーム１３の前端部には、刈刃装置６を装着した構成である。又、左右両側の左支持メタル１２ｃ、及び刈取駆動ケース１２と、刈取フレーム１３とは、又は左右両側の刈取駆動ケース１２と、刈取フレーム１３とは、一体で上下回動自在に設け、これら左支持メタル１２ｃ、及び刈取駆動ケース１２と、刈取フレーム１３との上下回動により、又は各刈取駆動ケース１２と、刈取フレーム１３との上下回動により、前端部の刈刃装置６が上下回動する構成である。
【００２９】
前記刈取前ギャーケース１１の左右両端部の支持メタル１２ｃ、及び刈刃駆動ケース１２の前側、又は、この各刈刃駆動ケース１２の前側とには、刈取フレーム１３を設けて、一体に上下回動させて、刈刃装置６を上下回動させることにより、簡単な構成で、この刈刃装置６を回動させることができる。又、簡単な構成により、コスト低減を図ることができる。
【００３０】
前記左右両側の左支持メタル１２ｃ、及び刈刃駆動ケース１２の所定距離内側で、又は、各刈刃駆動ケース１２の所定距離内側で、刈取前ギャーケース１１の上側の外側面部には、図１、及び図２、又は図３、及び図４で示す如く穀稈を引起しする複数個の引起装置５を回転駆動する伝動機構１４ｂの引起伝動軸１４ａを内装した複数個の上方へ突出させて引起伝動ケース１４を設けた構成である。
【００３１】
前記左右両側の左支持メタル１２ｃ、及び刈刃駆動ケース１２の内側で、又は、各刈刃駆動ケース１２の内側で、刈取前ギャーケース１１の上側面部には、各引起装置５を回転駆動する引起伝動軸１４ａを内装した各引起伝動ケース１４を設けたことにより、各引起装置５の伝動が容易である。又、強度のある刈取前ギャーケース１１で、各引起伝動ケース１４が支持されることにより、強度向上を図ることができる。
【００３２】
前記左右両側の左支持メタル１２ｃ、及び刈刃駆動ケース１２の所定距離内側で、又は、各刈刃駆動ケース１２の所定距離内側で、刈取前ギャーケース１１の前側の外側面部には、図１、及び図２、又は図３、及び図４で示す如く立毛穀稈を分離する前先端部へ分草体４ａを装着した複数個の分草フレーム４ｂを設けた構成である。
【００３３】
前記左右両側の左支持メタル１２ｃ、及び各刈刃駆動ケース１２の所定距離内側で、刈取前ギャーケース１１の前側面部へ分草体４ａを支持する分草フレーム４ｂを設けたことにより、強度のある刈取前ギャーケース１１で、各分草フレーム４ｂが支持されることにより、強度向上を図ることができる。
【００３４】
前記刈取前ギャーケース１１の一方側、例えば、右側の所定距離内側で、この刈取前ギャーケース１１の後側の内側面部には、図１、及び図２、又は図３、及び図４で示す如く刈刃装置６を上下回動させる、正逆回転する回動モータ１５を装着する取付板１５ｃを設けた構成である。
【００３５】
前記回動モータ１５のモータ軸１５ａには、図１、及び図２、又は図３、及び図４で示す如くモータギャー１５ｂを軸支した構成である。このモータギャー１５ｂと、刈取前ギャーケース１１の右側端部に設けた刈刃駆動ケース１２の後側の外側面部に設けた回動ギャー１２ｂとは、噛合させた構成である。回動モータ１５の正回転駆動により、各ギャー１５ｂ，１２ｂを介して、刈取前ギャーケース１１の外周部で、左右両側端部へ軸支した左支持メタル１２ｃ、及び各刈刃駆動ケース１２と、前側へ設けた各刈刃フレーム１３とは、上方へ向けて回動移動され、これら各刈刃フレーム１３等で支持した刈刃装置６は、上方へ向けて回動移動制御される構成である。又、回動モータ１５の逆正回転駆動により、各ギャー１５ｂ，１２ｂを介して、左支持メタル１２ｃ、及び各刈刃駆動ケース１２と、各刈刃フレーム１３とは、下方へ向けて回動移動され、これら各刈刃フレーム１３等で支持した刈刃装置６は、下方へ向けて回動移動制御される構成である。
【００３６】
前記回動モータ１５を所定の設定時間の正逆回転操作により、所定の最上昇位置、又は所定の最下降位置へ刈刃装置６は回動移動制御されると共に、回動モータ１５を任意時間の正逆回転操作により、刈刃装置６は任意位置へ上昇、又は下降回動移動制御される構成である。
【００３７】
前記刈取前ギャーケース１１の一方側の後側には、取付板１５ｃを介して、刈刃装置６を上下回動させる回動モータ１５を設けたことにより、強度のある刈取前ギャーケース１１で回動モータ１５が支持されることにより、強度向上を図ることができる。又、この回動モータ１５の作動操作により、刈刃装置６が単独で上下回動することにより、操作が簡単である。更に、穀稈の刈取高さの設定が容易である。
【００３８】
前記エンジン２０の回転動力は、図５で示す如く支持杆１０ａの上端部の支持パイプ杆１０ｂの伝動機構１０ｅで、この支持パイプ杆１０ｂの外側へ軸支した入力プーリ１０ｆへ入力され、支持パイプ杆１０ｂの伝動機構１０ｅから支持杆１０ａの伝動機構１０ｄを経て、刈取前ギャーケース１１の伝動機構１１ａの伝動軸１１ｂへ入力され、この伝動軸１１ｂから左右両側の左支持メタル１２ｃ、及び各刈取駆動ケース１２の伝動機構１２ａを経て、一方側、又は、左右両側の刈刃駆動軸６ｃ、刈刃伝動機構６ｄを介して、刈刃装置６の切刃６ａは左右摺動移動駆動されて、穀稈はこの切刃６ａと、固定刃６ｂとにより、切断されて刈取りされる構成である。
【００３９】
前記刈刃装置６は、図６、及び図７で示す如く左右方向略中央部で左・右刈刃装置２１，２２に二分割した構成である。この左刈刃装置２１は、左右摺動移動する左刈刃２１ａと、左固定刃２１ｂとにより、形成した構成である。又、この右刈刃装置２２は、左右摺動移動する右刈刃２２ａと、右固定刃２２ｂとにより、形成した構成である。これら左・右刈刃装置２１，２２は個別に駆動する構成である。
【００４０】
これにより、前記刈刃装置６を左右方向略中央部で、左右に二分割して、左・右刈刃装置２１，２２としたことにより、振動の低減を図ることができる。又、左・右刈刃装置２１，２２は別々に駆動させると共に、上下回動自在に設けたことにより、下方向きへ回動操作して、堆積した藁屑、及び土等を除去することにより、これらを確実に除去することができる。
【００４１】
前記刈刃装置６は、図８で示す如く下記状態を検出のときには、下方へ向けて、回動移動制御される構成である。伸縮シリンダ９を伸張作動操作し、刈取機３が設定の所定値以上上昇制御され、刈取高さが設定の所定値以上の高刈りに制御され、この刈取機３の刈取前ギャーケース１１に設けた刈取高さセンサ２３が、刈取機３が所定値以上に上昇制御されたと検出され、この検出値が詳細後述する操作装置２４へ内装して設けた、制御装置２４ａのＣＰＵ２４ｂへ入力されると、この入力に基づいて、回動モータ１５が正回転始動制御されて、刈刃装置６は下方へ向けて、回動移動制御される構成である。
【００４２】
又、走行車台２の前端部に装架した走行用のミッションケース２６内の伝動機構２６ａの伝動経路中には、その出力に基づいて、走行車速を検出するポテンションメータ方式の車速センサ２６ｂを設けた構成である。この車速センサ２６ｂが設定の所定値以上の高車速値が検出され、この検出値が制御装置２４ａのＣＰＵ２４ｂへ入力されると、この入力に基づいて、回動モータ１５が正回転始動制御されて、刈刃装置６は下方へ向けて、回動移動制御される構成である。
【００４３】
更に、前記ミッションケース２６の伝動機構２６ａのブレーキ板（図示せず）を旋回時にブレーキ操作されると、ブレーキ旋回センサ２７がこの操作を検出し、この検出が制御装置２４ａのＣＰＵ２４ｂへ入力されると、この入力に基づいて、回動モータ１５が正回転始動制御されて、刈刃装置６は下方へ向けて、回動移動制御される構成である。
【００４４】
前記穀粒貯留タンク１９側の前部には、図５で示す如くコンバイン１を始動、停止、及び各部を調節等の操作を行う操作装置２４と、これら操作を行う作業者が搭乗する操縦席２５とを設け、この操縦席２５の下側で、走行車台２の上側面には、エンジン２０を載置すると共に、後方部には、穀粒貯留タンク１９を配設する。これら走行装置１６と、刈取機３と、脱穀機１７と、エンジン２０等により、コンバイン１の機体１ａを形成した構成である。
【００４５】
前記穀粒貯留タンク１９内に貯留した穀粒を機外へ排出するこの穀粒貯留タンク１９の後側には、縦移送螺旋２８ａを内装した排出支持筒２８を略垂直姿勢で旋回自在に装着して設け、この排出支持筒２８の上端部には、その全長がコンバイン１の前後長に亘る機外へ穀粒を排出する排出螺旋２９ａを伸縮自在に内装した排出オーガ２９を伸縮自在、上下回動自在、及び左右旋回自在に前後方向に配設した構成である。
【図面の簡単な説明】
【００４６】
【図１】刈取機の刈刃装置部等の拡大平面図
【図２】刈取機の刈刃装置部等の拡大側面図
【図３】刈取機の刈刃装置部等の拡大平面図
【図４】刈取機の刈刃装置部等の拡大側面図
【図５】コンバインの左側全体側面図
【図６】他の実施例を示す図で、刈取機の刈刃装置部等の拡大平面図
【図７】他の実施例を示す図で、刈取機の刈刃装置部等の拡大側面図
【図８】他の実施例を示す図で、ブロック図
【符号の説明】
【００４７】
２      走行車台
３      刈取機
４ａ    分草体
４ｂ    分草フレーム
５      引起装置
６      刈刃装置
１１    刈取前ギャーケース
１１ａ  伝動機構
１１ｂ  伝動軸
１２    刈取駆動ケース
１３    刈取フレーム
１４    引起伝動ケース
１４ａ  引起伝動軸
１５    回動モータ
【図１】
2005218364.tif 000003
【図２】
2005218364.tif 000004
【図３】
2005218364.tif 000005
【図４】
2005218364.tif 000006
【図５】
2005218364.tif 000007
【図６】
2005218364.tif 000008
【図７】
2005218364.tif 000009
【図８】
2005218364.tif 000010